(57)【特許請求の範囲】
【請求項１】
背面扉付きキャビネット内にカード回収機と並置して紙幣払出機を搭載したカード回収装置において、
キャビネット内に組込まれる紙幣払出機を支持するトレイと、
トレイを背面側に引き出し可能に支持するスライド機構と、
スライド機構を固定するベースと、
トレイに支持される取っ手と、
トレイをスライド機構により前後動したときの両端位置にトレイを保持する第１のロック機構と、
を備え、
第１のロック機構は、取っ手に一体に連接されるとともにトレイに回転自在に軸支された支軸部と、支軸部に固定されたストッパ板と、ベースに形成されるとともにストッパ板が係合される第１，第２の係合凹部を有し、背面側への引き出し時に取っ手を略９０度回転させてストッパ板を第１の係合凹部から外した状態として通常の設置位置から引き出し、引き出し後に取っ手を略９０度逆回転させてストッパ板を第２の係合凹部に入れてメンテナンス位置でロックする機構であることを特徴とする、紙幣払出機を搭載したカード回収装置。
【請求項２】
請求項１記載のカード回収装置において、
トレイと紙幣払出機との間に設置されてトレイに対して紙幣払出機を旋回可能に軸支する軸支機構を備えたことを特徴とする、紙幣払出機を搭載したカード回収装置。
【請求項３】
請求項２記載のカード回収装置において、
軸支機構による旋回を所定範囲に制限するストッパ機構を備えたことを特徴とする、紙幣払出機を搭載したカード回収装置。
【請求項４】
請求項２または請求項３記載のカード回収装置において、
第１のロック機構の支軸部に取付けられるストッパ板と、トレイに設けられた切り欠きと、を有する第２のロック機構を備え、
第２のロック機構は、
背面側へ引き出す時に取っ手を略９０度回転させるとストッパ板が切り欠きから出、また、メンテナンス位置で取っ手を略９０度逆回転させるとストッパ板が切り欠き内に入る機構とし、旋回した紙幣払出機が切り欠き上にあるときこの紙幣払出機が第２のロック機構のストッパ板の移動を拘束して支軸部の回転を妨げ、第１ロック機構のストッパ板が第２の係合凹部に嵌め込まれたままとしてスライド機構をロックする機構であることを特徴とする、紙幣払出機を搭載したカード回収装置。
【請求項５】
請求項１から請求項４のいずれか１項に記載のカード回収装置において、
紙幣払出機が動作状態における所定位置に保持されているか否かを検出する検出手段を備えたことを特徴とする、紙幣払出機を搭載したカード回収装置。
【請求項６】
請求項１から請求項５のいずれか１項に記載のカード回収装置において、
カード回収機を遊戯施設利用カードを回収するカード回収機としたことを特徴とする、紙幣払出機を搭載したカード回収装置。
【発明の詳細な説明】
【０００１】
【発明の属する技術分野】
本発明は、遊戯施設利用カード等のカード回収装置、特に紙幣払出機を搭載してなるカード回収装置に関する。
【０００２】
【従来の技術】
昨今では、スキー場のリフト、遊園地などのレジャー施設の分野で使用するカードシステムの開発、普及化が進んでいる。このカードシステムの一例として、場内施設を利用できる時間、回数などの各種データを書き込んだカード（データキャリア）を料金及び保証金と引換えに利用者に発行し、利用者はこのカードを携帯して場内の施設を利用し、退場時にカードを返却して保証金を払い戻すカードシステムがある。このシステムでは、カードを回収するために、通常は紙幣払出機を搭載したカード回収装置を用いている。このカード回収装置は、使用済カードを回収するためのカード回収機とカード残金および保証金を払い戻す紙幣払出機をキャビネット内に組み込んで構成されている。従来、これらカード回収機および紙幣払出機は、キャビネット内にネジ止め等により固定されている。
【０００３】
【発明が解決しようとする課題】
しかしながら、従来のカード回収装置においては、一般にキャビネットの大きさが必要最小限に設計されるためキャビネット内に空間的な余裕が少なく、カード回収機および紙幣払出機のメンテナンスが容易ではなかった。特に、紙幣払出機については、紙詰まり等の故障が生じる頻度が高く、その場合は、キャビネットの扉を開けてからさらに紙幣払出機のメンテナンス用の扉を開けて復旧のための作業をしなければならず、取り付け位置によってはキャビネットの外側にいる作業員が故障個所を目視確認できずに手探りで作業をしなければならないこともあり、非常に作業性が悪かった。そのため、特に紙幣払出機についてのメンテナンスの容易なカード回収装置の開発が望まれていた。
【０００４】
【解決を解決するための手段】
そこで上記課題を解決するために、請求項１の発明は、背面扉付きキャビネット内にカード回収機と並置して紙幣払出機を搭載したカード回収装置において、
キャビネット内に組込まれる紙幣払出機を支持するトレイと、
トレイを背面側に引き出し可能に支持するスライド機構と、
スライド機構を固定するベースと、
トレイに支持される取っ手と、
トレイをスライド機構により前後動したときの両端位置にトレイを保持する第１のロック機構と、
を備え、
第１のロック機構は、取っ手に一体に連接するとともにトレイに回転自在に軸支された支軸部と、支軸部に固定されたストッパ板と、ストッパ板が係合されるベースの第１，第２の係合凹部を有し、背面側への引き出し時に取っ手を略９０度回転させてストッパ板を第１の係合凹部から外した状態として通常の設置位置から引き出し、引き出し後に取っ手を略９０度逆回転させてストッパ板を第２の係合凹部に嵌め込んでメンテナンス位置でロックする機構であることを特徴とする。
【０００５】
請求項２の発明は、請求項１のカード回収装置において、
トレイと紙幣払出機との間に設置されてトレイに対して紙幣払出機を旋回可能に軸支する軸支機構を備えたことを特徴とする。
【０００６】
請求項３の発明は、請求項２のカード回収装置において、
軸支機構による旋回を所定範囲に制限するストッパ機構を備えたことを特徴とする。
【０００７】
請求項４の発明は、請求項２または請求項３のカード回収装置において、
第１のロック機構の支軸部に取付けられるストッパ板と、トレイに設けられた切り欠きと、を有する第２のロック機構を備え、
第２のロック機構は、
背面側への引き出し時に取っ手を略９０度回転させてストッパ板を切り欠きから出した状態として引き出し、取っ手を略９０度逆回転させてストッパ板を切り欠き内に収納させる機構とし、第２のロック機構のストッパ板が切り欠き上にある紙幣払出機により遮って支軸部の回転を妨げ、第１ロック機構のストッパ板を第２の係合凹部に嵌め込んで拘束したままとしてスライド機構をロックする機構であることを特徴とする。
【０００８】
請求項５の発明は、請求項１から請求項４のいずれかのカード回収装置において、
紙幣払出機が動作状態における所定位置に保持されているか否かを検出する検出手段を備えたことを特徴とする。
【０００９】
請求項６の発明は、請求項１から請求項５のいずれかのカード回収装置において、
カード回収機を遊戯施設利用カードを回収するカード回収機としたことを特徴とする。
【００１１】
【発明の実施の形態】
以下、図に沿って本発明の実施形態を説明する。
図１は本発明にかかるカード回収装置の実施形態の要部の構成を示す正面図、図２はその平面図、図３は右側面図である。図において、１はキャビネット本体、２はその背面に取り付けられた背面扉、３はカード回収機、４は紙幣払出機である。ここで、図１のキャビネット本体１内の左上部にＬ字形をしたベース５が固定され、その水平部の上面にスライド機構であるところの１対のスライドレール６を介してトレイ７が前後動自在に支持されている。トレイ７の上面には、後述する軸支機構が設置されて、取付台８に固定された紙幣払出機４を垂直軸回りに約１００度の範囲で旋回可能に軸支している。
【００１２】
また、トレイ７の後端には、ロック機構を構成する取っ手９が支持されており、この取っ手９を上方に９０度回動させた状態で取っ手９を引き寄せることで、図中に実線で表示した紙幣払出機４の通常の設置位置から、仮想線で示した後方のメンテナンス位置まで引き出すことができる。また、メンテナンス位置に引き出された状態で、紙幣払出機４を、軸支機構により、半時計方向に約１００度旋回させることができる。さらに、ベース５上に、位置検出手段であるところのマイクロスイッチ１０が設置されて、紙幣払出機４が通常の位置に保持されていることを検出する。
次に、各部の詳細な構成を順に説明する。
【００１３】
図４は、図１からトレイ７を取り出して示した正面図、図５は図４の平面図、図６は図４のＡ−Ａ線断面図、図７は図５のＢ矢示図、図８は図５のＣ矢示図である。図示されるように、トレイ７は底のない箱状に形成されており、図５における左右の長辺側面にそれぞれスライドレール６が取り付けられ、そのスライドレール６の外側はベース５に支持されたレールブラッケット（図示せず）に取り付けられて支持される。また、図５に示されるように、トレイ７の上面の手前側（図では下方）半分のほぼ中央位置に、軸孔１１が形成され、その内部につば付き滑り軸受け１２が嵌合されている。
【００１４】
トレイ７の上面の軸孔１１を中心とする同心円上の４カ所に、切り欠きが形成されて、４個のカムフォロア１３が軸を放射状にして９０度の間隔で取り付けられている。カムフォロア１３の外輪の上端位置は、図４、図６に示されるように、トレイ７の上面よりも上方に位置して、取付台８（図示せず）の下面が当接される。また、図５に示されるようにトレイ７の上面にはスナッチロックのリング部１４が取り付けられている。このリング部１４は、取付台８（図示せず）に支持されているスナッチロック本体の係合部により両方向から係合される。
【００１５】
図９および図１０は、取っ手９の構成と動作を示すため、それぞれ図４、図５においてトレイ７およびスライドレール６を除去して示した図であり、図１１は図９のＤ部を拡大した図、図１２は図９のＥ−Ｅ線断面図である。これらの図に示されるように、取っ手９の支軸部９ａは、トレイ７の背面側（図５の上方）の側面板を貫通するとともにトレイ７の上部側面板に取り付けられたブラケット１５に軸支される。また、支軸部９ａは、その先端部がトレイ７のほぼ中央位置および前端部の下面にそれぞれ取り付けられブラケット１６，１７により軸支されている。
【００１６】
また、ブラケット１７と支軸部９ａとの間にはねじりコイルバネ１８が装着されて、取っ手９を水平の状態に保持するとともに、取っ手９が回動された後に放置されると、水平状態に復帰させる。さらに、支軸部９ａの先端および中間位置にそれぞれストッパ板２１，２２が半径方向に取り付けられている。これらストッパ板２１，２２は、図１１に実線で示されるように、取っ手９が水平の通常状態で、ストッパ板２１は水平方向に位置し、ストッパ板２２は下方を向いている。ここで、取っ手９が水平の通常状態から強制的に９０度上方に回動されると、図１１に仮想線で示されるように、ストッパ板２１は、トレイ７に形成された切り欠き２３を通過して上方に９０度回動される。
【００１７】
また、ストッパ板２２も同様に回動されて水平方向となる。なお、ストッパ板２２が下方に向いているときは、ベース５に形成された係合凹部２４と係合し、トレイ７の前後動を阻止する。この係合凹部２４は、トレイ７が前進した通常の設置位置と後退したメンテナンス位置の２カ所に形成されており、トレイ７は前端と後端の２カ所で保持される。つまり、スライドレール６を介してトレイ７を前後動させようとする場合は、取っ手９を上方に９０度回動してストッパ板２２の係合を解除した状態で行わなければならない。これら取っ手９、ストッパ板２２、係合凹部２４等により第１のロック機構が構成される。
【００１８】
また、同様に、取っ手９の回動に対応して、図１１に仮想線で示されるように、ストッパ板２１は水平方向から上方に回動されるが、このストッパ板２１が上方に向いていると、後述する図１３〜図１５における取付台８に形成された切欠き部３４の範囲にストッパ板２１が位置していることになる。すなわち、この取っ手９の回動操作は、取付台８つまり紙幣払出機４が通常設置状態と同じく正面方向を向いていることが条件となる。
【００１９】
ここで、取付台８が後方に引き出されて通常設置状態の正面方向から反時計方向に施回されている場合を想定すると、切欠き部３４がストッパ板２１の位置から外れてしまい、取っ手９を回動させようとしても、ストッパ板２１は切欠き部３４以外の取付台８の下面に当接して取っ手９の回動が阻止され、その結果、ストッパ板２１の係合が解除されずに、スライド機構がロックされたままとなる。すなわち、第１のロック機構に、ストッパ板２１、取付台８等が加わり、第２のロック機構が構成される。この第２のロック機構を設けたことで、紙幣払出機４を後方へ引き出して施回させて点検等のメンテナンス作業をした後に、誤って、紙幣払出機４を施回させた状態のまま元に戻すことが防止される。
【００２０】
図１３は、図１から取付台８を取り出して示した正面図、図１４は図１３の平面図、図１５は図１３の右側面図である。図示されるように、取付台８の下面中央に支軸３１が突設され、この支軸３１がトレイ７の軸孔１１（図５参照）に嵌合されるとともに、取付台８の下面がトレイ７に取り付けられているカムフォロア１３の外輪に当接することにより、取付台８がトレイ７に対して回動自在に軸支される。すなわち、これらにより軸支機構が構成される。また、トレイ７の上面左右両側に１対のガイド板３２，３３がネジ止めにより取り付けられており、このガイド板３２，３３により紙幣払出機４がトレイ７に支持・固定される。
【００２１】
また、取付台８の上方外周部には支軸３１を中心とした約１００度の範囲に円弧状の切欠き部３４が形成されている。この切欠き部３４の両端となる位置の取付台８の上面には、それぞれ切欠き部３４の円弧の接線方向に対向させてスナッチロック３５，３６が取り付けられている。スナッチロック３５，３６には、図４〜図６に示したリング部１４が、取付台８の回動範囲の両端でそれぞれ係止される。すなわち、これらによりストッパ機構が構成される。また、取付台８の右側へ突出した部分が、取付台８の前端と平行に切り欠かれて端部３７が形成されている。これは、後述するマイクロスイッチ１０のヒンジレバー４３と当接するために形成されたものである。
【００２２】
図１６は、図１からマイクロスイッチ１０の取付部分を取り出して示した正面図、図１７は図１６の右側面図である。図示されるように、マイクロスイッチ１０はベース５に取付台４１、取付金具４２を介して支持されている。マイクロスイッチ１０はヒンジレバー４３を備えたタイプであり、紙幣払出機４が通常の設置位置にある状態で、取付台８の端部３７（図１４参照）がヒンジレバー４３に当接してスイッチオンする。マイクロスイッチ１０の検知信号は信号線４４を介して、図示しない制御部へ送られる。このように紙幣払出機４が通常の設置位置にセットされていることを検知するようにしたことにより、メンテナンスのために、キャビネット本体１から紙幣払出機４を引き出すと、直ちにそれが検出されて装置を取り扱い停止状態に切り替えることが可能となり、利用客が誤ってカードを返却することを防ぐことができる。
【００２３】
上述したように、この発明の実施形態では、次のような効果が得られる。
（１）紙幣払出機を背扉側へ移動させて、横向きに旋回することができるため、紙幣の補充および保守作業が容易になる。
（２）紙幣払出機の通常状態と引出した状態で、取っ手を離すと、取っ手が水平状態に復帰してロック機構が作動し、それぞれの位置が保持される。また、このロック機構は、取っ手と兼用であるためその分、コストダウンにもなる。
（３）紙幣払出機を引き出して旋回させた状態では、トレイが移動できないことにより、紙幣払出機が横向きの幅広の状態で誤って元の状態に戻しながらキャビネット内の他の部分に当ててしまうといった、従来の問題点が解消できる。
（４）紙幣払出機が正常な位置にあることを検知できるようにしたことにより、紙幣払出機が後方に引き出されると、直ちにカード回収装置を取扱中止に切り替えることが可能となり、利用者の混乱を解消できる。
【００２４】
【発明の効果】
以上述べたように請求項１の発明によれば、背面扉付きキャビネット内にカード回収機と並置して紙幣払出機を搭載したカード回収装置において、紙幣払出機を支持するトレイにスライド機構を備えたことで、必要時に簡単な操作で紙幣払出機をトレイごとキャビネットの背面側へ引き出すことができる。これにより、機内に並んでいる他の機器に邪魔されることなく内部点検作業を容易に実施できて、紙幣払出機に対するメンテナンス性が改善される。
【００２５】
請求項２および請求項３および請求項４の発明によれば、軸支機構を備えたことで、紙幣払出機を引き出してから点検に最適な方向に旋回させることが可能となり、紙幣払出機に対するメンテナンス性がさらに向上する。
【００２６】
請求項５の発明によれば、紙幣払出機の位置検出手段を備えたことで、点検作業の終了後に紙幣払出機を元の位置に復帰させたことの確認が容易にできる。
【図面の簡単な説明】
【図１】本発明にかかるカード回収装置の実施形態の要部を示す正面図である。
【図２】図１の平面図である。
【図３】図１の右側面図である。
【図４】図１からトレイを取り出して示した正面図である。
【図５】図４の平面図である。
【図６】図４のＡ−Ａ線断面図である。
【図７】図５のＢ矢示図である。
【図８】図５のＣ矢示図である。
【図９】図４から取っ手の部分を取り出して示した図である。
【図１０】図５から取っ手の部分を取り出して示した図である。
【図１１】図９のＤ部を拡大した図である。
【図１２】図９のＥ−Ｅ線断面図である。
【図１３】図１から取付台を取り出して示した正面図である。
【図１４】図１３の平面図である。
【図１５】図１３の右側面図である。
【図１６】図１からマイクロスイッチの取付部分を取り出して示した正面図である。
【図１７】図１６の右側面図である。
【符号の説明】
１  キャビネット本体
２  背面扉
３  カード回収機
４  紙幣払出機
５  ベース
６  スライドレール
７  トレイ
８  取付台
９  取っ手
９ａ  支軸部
１０  マイクロスイッチ
１１  軸孔
１２  つば付き滑り軸受け
１３  カムフォロア
１４  リング部
１５〜１７  ブラケット
１８  ねじりコイルバネ
２１，２２  ストッパ板
２３  切り欠き
２４  係合凹部
３１  支軸
３２，３３  ガイド板
３４  切欠き部
３５，３６  スナッチロック
３７  端部
４１  取付台
４２  取付金具
４３  ヒンジレバー
４４  信号線
【図１】
0003612915.tif 000002
【図２】
0003612915.tif 000003
【図３】
0003612915.tif 000004
【図４】
0003612915.tif 000005
【図５】
0003612915.tif 000006
【図６】
0003612915.tif 000007
【図７】
0003612915.tif 000008
【図８】
0003612915.tif 000009
【図９】
0003612915.tif 000010
【図１０】
0003612915.tif 000011
【図１１】
0003612915.tif 000012
【図１２】
0003612915.tif 000013
【図１３】
0003612915.tif 000014
【図１４】
0003612915.tif 000015
【図１５】
0003612915.tif 000016
【図１６】
0003612915.tif 000017
【図１７】
0003612915.tif 000018